(57)【要約】      （修正有）【課題】適切な音声案内を臨場感豊かに再生する音声案内サービスシステムを提供する。【解決手段】右音声データと、左音声データを可視光線を介して受信するヘッドフォン側受信部２１０と、位置データ取得部で取得される位置データと、前方データ取得部で取得される前方データとを無線を介して送信するヘッドフォン側送信部２２０とからなるヘッドフォン２００と、ヘッドフォンのヘッドフォン側送信部２２０から送信される位置データと前方データとを受信するメインシステム側無線受信部１１０と、メインシステム側無線受信部で受信される位置データと前方データとに基づいてヘッドフォンで再生する右音声データと左音声データとを生成する音声データ生成部１３０と、音声データ生成部で生成される右音声データと左音声データとをヘッドフォンに送信するメインシステム側可視光線送信部１２０とからなるメインシステムとを具備する。【選択図】図１
2009177265.tif 000002
【特許請求の範囲】
【請求項１】
それぞれ異なる音声データを再生する右スピーカーと左スピーカーと、
前記右スピーカーで再生する右音声データと、前記左スピーカーで再生する左音声データを受信するヘッドフォン側受信部と、
所在位置に係る位置データを取得する位置データ取得部と、
前方方向がどの方向であるかに係る前方データを取得する前方データ取得部と、
前記位置データ取得部で取得される位置データと、前記前方データ取得部で取得される前方データとを送信するヘッドフォン側送信部とからなるヘッドフォンと、
前記ヘッドフォンのヘッドフォン側送信部から送信される位置データと前方データとを受信するメインシステム側受信部と、
前記メインシステム側受信部で受信される位置データと前方データとに基づいて前記ヘッドフォンで再生する右音声データと左音声データとを生成する音声データ生成部と、
前記音声データ生成部で生成される右音声データと左音声データとを前記ヘッドフォンに送信するメインシステム側送信部とからなるメインシステムとを具備することを特徴とする音声案内サービスシステム。
【請求項２】
前記音声データ生成部は音声定位技術により右音声データと左音声データとを生成することを特徴とする請求項１に記載の音声案内サービスシステム。
【請求項３】
前記メインシステム側送信部は可視光通信によって右音声データと左音声データとを前記ヘッドフォンに送信することを特徴とする請求項１又は請求項２に記載の音声案内サービスシステム。
【請求項４】
前記メインシステム側送信部はビーコンデータを送信し、
前記ヘッドフォン側受信部が当該ビーコンデータを受信することによって、
前記位置データ取得部が位置データを取得し、前記前方データ取得部が前方データを取得することを特徴とする請求項１乃至請求項３のいずれかに記載の音声案内サービスシステム。
【請求項５】
前記ヘッドフォンは方位検出センサを備え、前記前方データ取得部は当該方位検出センサによって前方データを取得することを特徴とする請求項１乃至請求項３のいずれかに記載の音声案内サービスシステム。
【発明の詳細な説明】
【技術分野】
【０００１】
本発明は、博物館、美術館など展示物提供施設に設置され、展示物を見物する個々の人に対して展示物に関する説明を音声案内によって提供する音声案内サービスシステムに関する。
【背景技術】
【０００２】
美術館や博物館のような展示物提供施設では、それぞれの展示物について、個々の入場者に音声で説明をするシステムが知られている。この種の、従来のシステムではそれぞれの展示物の説明を繰り返して放送するものが主流であった。このシステムでは、説明の途中で入場した者は説明が途中からになり、説明が理解しにくいことや、説明を理解するためにもう一度、説明の頭部分から聞き直さなければならないという不便があった。そこで、最近では、このような不便を解決するために、説明の必要な展示物の全ての説明を予め各入場者が携帯する案内装置に装着する記録媒体に音声情報により記録しておいて、展示物に対応した説明を入場者が選択して聞いたり、自動的にその説明を始めるという自動案内システムが開発されている。
【０００３】
この種のシステムとしては、例えば、特許文献１（特開特開平９−２５８７６０号公報）に、展示物の付近に配置された送信手段により、入れ替え可能な記録媒体に記録した展示物の案内情報を情報処理して送信し、前記展示物を観覧する入場者が携帯する半導体メモリーを含む受信手段により、前記送信手段からの案内情報を受信処理し音声情報に変換処理して当該入場者に視聴させることを特徴とする音声案内システムが開示されている。
また、特許文献２（特開２００３−３０９４８４号公報）には、展示物に関する説明を音声および画像の一方もしくは両方で自動的に案内する自動案内システムであって、展示物自体あるいはその近傍に設置され、展示物ごとに各々異なるＩＤ信号を送信する複数の第１の装置と、音声および画像の一方もしくは両方により各展示物の案内情報を記録した手段と、前記第１の装置が送信するＩＤ信号を受信する手段と、受信したＩＤ信号により展示物のＩＤを認識し、前記記録している案内情報から該当展示物の案内情報を再生する手段を有する第２の装置と、から構成されてなる自動案内システムが開示されている。
【特許文献１】特開平９−２５８７６０号公報
【特許文献２】特開２００３−３０９４８４号公報
【発明の開示】
【発明が解決しようとする課題】
【０００４】
しかしながら、特許文献１や特許文献２に記載されたシステムでは、展示物ごとに各々異なるＩＤ信号を送信する無線通信手段によってＩＤ信号を送信し、個々の入場者が携行するヘッドフォンなどで、このＩＤ信号を受信し、これにより展示物のＩＤを認識し、予め記録されている案内情報から該当展示物の案内情報をヘッドフォンで再生するようなシステム構成となっているために、展示物同士の展示間隔が短いような場合においては、展示物ごとに各々異なるＩＤ信号を送信する無線通信手段同士が混信してしまう恐れがある。このような混信が発生すると、入場者が見物している対象展示物とは、異なる展示物の案内情報がヘッドフォンで再生される事態となる、という問題があった。また、特許文献１や特許文献２に記載されたシステムでは、予め記録されている案内情報が単に再生されるだけのシステムであるので、リアリティーに欠ける、という問題があった。
【課題を解決するための手段】
【０００５】
この発明は、上記のような課題を解決するものであって、請求項１に係る発明は、それぞれ異なる音声データを再生する右スピーカーと左スピーカーと、前記右スピーカーで再生する右音声データと、前記左スピーカーで再生する左音声データを受信するヘッドフォン側受信部と、所在位置に係る位置データを取得する位置データ取得部と、前方方向がどの方向であるかに係る前方データを取得する前方データ取得部と、前記位置データ取得部で取得される位置データと、前記前方データ取得部で取得される前方データとを送信するヘッドフォン側送信部とからなるヘッドフォンと、前記ヘッドフォンのヘッドフォン側送信部から送信される位置データと前方データとを受信するメインシステム側受信部と、前記メインシステム側受信部で受信される位置データと前方データとに基づいて前記ヘッドフォンで再生する右音声データと左音声データとを生成する音声データ生成部と、前記音声データ生成部で生成される右音声データと左音声データとを前記ヘッドフォンに送信するメインシステム側送信部とからなるメインシステムとを具備することを特徴とする音声案内サービスシステムである。
【０００６】
また、請求項２に係る発明は、請求項１に記載の音声案内サービスシステムにおいて、前記音声データ生成部は音声定位技術により右音声データと左音声データとを生成することを特徴とする。
【０００７】
また、請求項３に係る発明は、請求項１又は請求項２に記載の音声案内サービスシステムにおいて、前記メインシステム側送信部は可視光通信によって右音声データと左音声データとを前記ヘッドフォンに送信することを特徴とする。
【０００８】
また、請求項４に係る発明は、請求項１乃至請求項３のいずれかに記載の音声案内サービスシステムにおいて、前記メインシステム側送信部はビーコンデータを送信し、前記ヘッドフォン側受信部が当該ビーコンデータを受信することによって、前記位置データ取得部が位置データを取得し、前記前方データ取得部が前方データを取得することを特徴とする。
【０００９】
また、請求項５に係る発明は、請求項１乃至請求項３のいずれかに記載の音声案内サービスシステムにおいて、前記ヘッドフォンは方位検出センサを備え、前記前方データ取得部は当該方位検出センサによって前方データを取得することを特徴とする。
【発明の効果】
【００１０】
本発明の音声案内サービスシステムによれば、ヘッドフォンの位置データ取得部で取得される位置データと、前方データ取得部で取得される前方データとに基づいた音声データが提供されるようになっているので、見学者が見物しようとしている対象展示物に対して適切な音声案内を提供することが可能となる。
【００１１】
また、ヘッドフォンで取得される位置データと前方データに基づいて音声データ生成部が音声定位技術により右音声データと左音声データとを生成するので、あたかもその場所から聞こえてくるような臨場感あふれる音声案内を提供すること可能となる。
【発明を実施するための最良の形態】
【００１２】
以下、本発明の実施の形態を図面を参照しつつ説明する。図１は本発明の実施の形態に係る音声案内サービスシステムのブロック構成の概要を示す図であり、図２は本発明の実施の形態に係る音声案内サービスシステムの設置例を示す図であり、図３は本発明の実施の形態に係る音声案内サービスシステムで用いるヘッドフォンの外観斜視図であり、図４は本発明の実施の形態に係る音声案内サービスシステムのメインシステム側送信部を可視光通信技術によって構成する例を示すブロック図である。
【００１３】
図１乃至図４において、１００はメインシステム、１１０はメインシステム側受信部、１２０はメインシステム側送信部、１２１は送信制御部、１２２は変調部、１２３は発光部、１３０は音声データ生成部、１３１はヘッドフォン情報記憶部、１３２は音源データ記憶部、１３３は音像定位データ生成部、１３４はビーコンデータ生成部、１３５は送信データ合成部、２００はヘッドフォン、２１０はヘッドフォン側受信部、２１１は前方側受光部、２１２は後方側受光部、２１３は右側受光部、２１４は左側受光部、２２０はヘッドフォン側送信部、２２１は送信アンテナ部、２３０は位置データ取得部、２３１は前方データ取得部、２３２はヘッドフォンＩＤ記憶部、２３３は音声制御部、２３４は左スピーカー、２３５は右スピーカー、２４０は受信データ分離部、２５０は送信データ合成部、をそれぞれ示している。
【００１４】
本発明の音声案内サービスシステムは主としてメインシステム１００と、展示物の見学者が装着するヘッドフォン２００とから構成されており、メインシステム１００の構成要素の一部は博物館などの建物に直接施工されたり、見学者からは見えない箇所に設置されたりするようにして設けられている。図２は、見学者がヘッドフォン２００を装着して、展示物１乃至展示物４を見物しながら音声案内サービスを受けている状態を示している。
【００１５】
本実施形態では、音声案内サービスシステムのメインシステム１００からヘッドフォン２００への通信方法としては、発光部１２３を利用した可視光通信が用いられる。この発光部１２３は、通常の館内の照明として利用されると共に、人間には認識不可能な頻度で明滅することによって１と０のデータを送信することができるものである。
【００１６】
本実施形態では、このような発光部１２３がａ乃至ｄの４つ用いられている場合を例にとり、説明するが、このような設置する発光部１２３の数がこれに限定されるものではない。本実施形態においては、展示物１乃至展示物４のぞれぞれの近傍の天井部分に、発光部１２３ａ乃至１２３ｄを設けるようにしている。発光部１２３ａ乃至１２３ｄのそれぞれは、それぞれＩＤ（発光部ＩＤ）が付されており、この発光部ＩＤはビーコンデータとして可視光通信されるようになっている。
【００１７】
ヘッドフォン２００側は、この発光部ＩＤを受信することによって、ヘッドフォン２００を装着している見学者がどの展示物のエリアにいるのかに係る位置データを取得することが可能となる。なお、可視光通信は指向性が強いため、他の展示物の境界間での混信などを起こすことはない。
【００１８】
また、本実施形態では、発光部１２３ａ乃至１２３ｄの可視光通信によって、ヘッドフォン２００に対して展示物１乃至展示物４ぞれぞれの音声案内に係る音声データを送信する構成となっている。
【００１９】
ヘッドフォン２００を装着した見学者が1つの展示物のエリアに複数存在することがあるので、ヘッドフォン２００にはそれぞれ固有のＩＤ（ヘッドフォンＩＤ）が付されており、メインシステム１００は、ヘッドフォンＩＤの個々に対してそれぞれの音声データを通信によって提供するようになっている。
【００２０】
以上のような可視光通信をヘッドフォン２００側でどのように受信するかを図３を参照しつつ説明する。図３はヘッドフォン２００の外観を示している。通常のヘッドフォンのように、ヘッドフォン２００は左スピーカー２３４及び右スピーカー２３５を有しており、それぞれは右音声データ、左音声データを独立して再生することができるようになっている。左スピーカー２３４及び右スピーカー２３５で再生する右音声データ及び左音声データはメインシステム１００側のメインシステム側送信部１２０から送信されるようになっている。
【００２１】
また、ヘッドフォン２００の頂部には、ヘッドフォン側受信部２１０、ヘッドフォン側送信部２２０に係る構成が搭載されている。
【００２２】
ヘッドフォン側受信部２１０としては、発光部１２３ａ乃至１２３ｄからの可視光通信を受信することができる受光部が設けられている。受光部は受光センサやレンズなどから構成され、図３に示すヘッドフォン２００の例では、図３の矢印を前方として、前方、後方、右方、左方の４方の位置に設けられている。これらヘッドフォン２００の前方側受光部２１１、後方側受光部２１２、右側受光部２１３、左側受光部２１４によって、ヘッドフォン２００は、発光部１２３ａ乃至１２３ｄのうちどの発光部１２３からの光強度が強いかによって、より正確な位置データを取得することが可能となると共に、ヘッドフォン２００の前方、すなわち装着者がどの方向を向いているのかに係るデータ（前方データ）を取得することが可能となる。
【００２３】
なお、ヘッドフォン２００は、それぞれの受光部のレンズを調整することによって、発光部１２３からの光を選択的に受けることができるようになり、より位置データ及び前方データを取得することができる。
【００２４】
ヘッドフォン側送信部２２０に係る構成としては、送信アンテナ部２２１が設けられている。ヘッドフォン側送信部２２０からは、メインシステム１００のメインシステム側受信部１１０に対しては無線通信を利用することができる。このような無線通信によって、ヘッドフォン２００からメインシステム１００に、ヘッドフォンＩＤやヘッドフォン２００がどの展示物の近傍に存在するのかに係る位置データ、ヘッドフォン２００の装着者がどの方向を向いているのかに係る前方データを送信することができるようになっている。
【００２５】
次に、図１を参照しつつ本発明の実施の形態に係る音声案内サービスシステムの全体的な構成について説明する。メインシステム１００は、主としてメインシステム側受信部１１０、メインシステム側送信部１２０、音声データ生成部１３０から構成されている。
【００２６】
メインシステム側受信部１１０は、それぞれのヘッドフォン２００から「ヘッドフォンＩＤ」、ヘッドフォンの所在位置に係る「位置データ」、ヘッドフォンの前方方向がどの方向であるかに係る「前方データ」を取得するようになっている。
【００２７】
音声データ生成部１３０は、メインシステム側受信部１１０で受信した「ヘッドフォンＩＤ」、「位置データ」、「前方データ」に基づいて、個々のヘッドフォンに提供するための音声データを生成する構成である。
【００２８】
音声データ生成部１３０のヘッドフォン情報記憶部１３１は、どの「ヘッドフォンＩＤ」のヘッドフォン１３１が、どのＩＤのヘッドフォン１３１がどの位置にどの方向を前方として存在する（「位置データ」、「前方データ」）か、を記憶するものである。
【００２９】
また、音声データ生成部１３０の音源データ記憶部１３２は、展示物１乃至４それぞれの案内情報に係る音声データの音源データが記憶されている。
【００３０】
音像定位データ生成部１３３は、ヘッドフォン情報記憶部１３１に記憶されている「位置データ」、「前方データ」及び音源データ記憶部１３２に記憶されている音源データに基づいて、それぞれのＩＤのヘッドフォンに対して臨場感ある音声データを提供するために音像定位技術を利用した右音声データ、左音声データを生成する。このような音像定位技術によれば、音源がどこにあるかを表現することができ、ヘッドフォン装着者はあたかも展示物の方向に音源があると体感することができるようになっている。なお、このような音像定位技術としては、特開２００５−３３３６２１号公報に記載されているような周知の技術を利用することできる。
【００３１】
なお、このような音声データ生成部１３０は、音声サーバーなどを利用することによって容易に実現することができる。
【００３２】
ビーコンデータ生成部１３４は、発光部１２３ａ乃至１２３ｄそれぞれの発光部ＩＤが含まれるビーコンデータを生成するものである。ヘッドフォン２００はこのビーコンデータを捕捉することによって、「位置データ」、「前方データ」を取得することが可能となる。
【００３３】
送信データ合成部１３５は、可視光通信のデータとして送信するために、音像定位データ生成部１３３で生成されるヘッドフォンＩＤごとの右音声データ、左音声データ及びビーコンデータ生成部１３４で生成される発光部ＩＤ毎のビーコンデータを合成する構成である。
【００３４】
メインシステム側送信部１２０は、送信データ合成部１３５で合成されたデータをヘッドフォン２００に対して送信する仕組みである。メインシステム側送信部１２０は、より具体的には図４に示されるようなブロック構成により、ヘッドフォンＩＤごとの右音声データ、左音声データ及び発光部ＩＤ毎のビーコンデータを可視光通信により送信する。
【００３５】
図４に示すようにメインシステム側送信部１２０は、送信制御部１２１、変調部１２２、発光部１２３から構成されている。送信制御部１２１は、どの発光部でどのデータを通信させるかを選択して、それに基づいて選択したデータをそれぞれの変調部１２２ａ乃至１２２ｄに振り分ける動作を行う。
【００３６】
変調部１２２ａ乃至１２２ｄは送信制御部１２１から受けたデータを変調し、この変調に基づいてそれぞれの発光部１２３ａ乃至１２３ｄが、人間には認識不可能な頻度で明滅することによってデジタルデータを送信する。
【００３７】
図５は本発明の実施の形態に係る音声案内サービスシステムのメインシステム側送信部１２０から送信するデータの構成例を示す図である。図５（Ａ）は展示物のエリア内にデータを送信すべきヘッドフォン２００が存在する場合のデータ構成例を示しており、図５（Ｂ）は展示物のエリア内にデータを送信すべきヘッドフォン２００が存在しない場合のデータ構成例を示している。
【００３８】
メインシステム側送信部１２０からは、タイムスロットごとに種類の異なるデータが送信されるようになっている。  図５（Ａ）及び図５（Ｂ）に示すように、データを送信すべきヘッドフォン２００がエリア内に存在するかしないかに関わらず、発光部ＩＤ情報が含まれているビーコンデータは常に送信されるようになっている。
【００３９】
また、エリア内にデータ送信すべきヘッドフォン２００が存在しない場合には、ビーコンデータの合間のタイムスロットはデータを送信しないようになっている。発光部１２３の動作としてみれば連続的に発光状態が続くようにすることで、データをしないようにすることができる。
【００４０】
また、エリア内にデータ送信すべきヘッドフォン２００が存在する場合には、ビーコンデータの合間のタイムスロットに、送信対象とするヘッドフォン２００のヘッドフォンＩＤデータと、当該ヘッドフォン２００で再生させるための右音声データ、左音声データを送信する。
【００４１】
図６乃至図８は、図２における状況下での発光部１２３ａ乃至１２３ｄによるデータ送信例を示している。図２はヘッドフォン２００ａを装着する見学者は展示物１を見学し、ヘッドフォン２００ｂを装着する見学者は展示物４を見学している状況を示している。
【００４２】
図６は本発明の実施の形態に係る音声案内サービスシステムにおける発光部ＩＤ付与例を示す図であり、図７は本発明の実施の形態に係る音声案内サービスシステムにおけるヘッドフォンＩＤ付与例を示す図であり、図８は本発明の実施の形態に係る音声案内サービスシステムのメインシステム側送信部１２０からのデータ送信例を示す図である。
【００４３】
次に、図１を参照しつつ本発明の実施の形態に係る音声案内サービスシステムのヘッドフォン２００についてより詳しく説明する。図１において、ヘッドフォン２００のヘッドフォン側受信部２１０は、ヘッドフォンＩＤデータ、右音声データ、左音声データ、ビーコンデータの４種類のデータを受信するようになっている。受信データ分離部２４０は、これらデータ種別に応じてデータを分離し、所定の処理部に送出する機能を有している。
【００４４】
ビーコンデータは受信データ分離部２４０によって分離され位置データ取得部２３０及び前方データ取得部２３１に送出され、ヘッドフォンＩＤデータは受信データ分離部２４０によって分離されヘッドフォンＩＤ記憶部２３２に送出され、右音声データ、左音声データは受信データ分離部２４０によって分離され音声制御部２３３に送出される。
【００４５】
位置データ取得部２３０は、受信したビーコンデータに基づいて、ヘッドフォン２００がどのエリアに存在するのかに係る位置データを検出すると共に、この位置データを送信データ合成部２５０に送出する。また、前方データ取得部２３１は、ビーコンデータの強度等に基づいて、ヘッドフォン２００の前方がどの方法であるのかに係る前方データを検出すると共に、この前方データを送信データ合成部２５０に送出する。
【００４６】
ヘッドフォンＩＤ記憶部２３２は、自らのヘッドフォンＩＤを記憶し、自ヘッドフォンＩＤデータを送信データ合成部２５０に送出する。また、ヘッドフォンＩＤ記憶部２３２は、受信データ分離部２４０から受信したヘッドフォンＩＤデータが、自ヘッドフォンＩＤデータと同一であるときには、音声制御部２３３に対して再生許可信号を送出し、自ヘッドフォンＩＤデータと異なるときには、音声制御部２３３に対して再生不許可を送出する。
【００４７】
音声制御部２３３は、ヘッドフォンＩＤ記憶部２３２から再生許可信号を受けたときには、受信データ分離部２４０からの右音声データ、左音声データを右スピーカー２３５、左スピーカー２３４で再生するように制御する。これとは逆に、音声制御部２３３は、ヘッドフォンＩＤ記憶部２３２から再生不許可信号を受けたときには、受信データ分離部２４０からの右音声データ、左音声データを右スピーカー２３５、左スピーカー２３４で再生しないように制御する。
【００４８】
送信データ合成部２５０は、位置データ取得部２３０からの位置データと、前方データ取得部２３１からの前方データと、ヘッドフォンＩＤ記憶部２３２からの自ヘッドフォンＩＤデータの３種のデータを合成し、ヘッドフォン側送信部２２０に送出する。
【００４９】
ヘッドフォン側送信部２２０は、合成された位置データ、前方データ、ヘッドフォンＩＤデータをメインシステムに送信する。
【００５０】
以上のような本発明の音声案内サービスシステムによれば、ヘッドフォン２００の位置データ取得部２３０で取得される位置データと、前方データ取得部２３１で取得される前方データとに基づいた右左の音声データが提供されるようになっているので、見学者が見物しようとしている対象展示物に対して適切な音声案内を提供することが可能となる。
【００５１】
また、ヘッドフォン２００で取得される位置データと前方データに基づいて音声データ生成部１３０が音声定位技術により右音声データと左音声データとを生成するので、あたかもその場所から聞こえてくるような臨場感あふれる音声案内を提供すること可能となる。
【００５２】
なお、本実施形態においては、音声データ生成部１３０の構成はメインシステム１００側に設ける例に基づいて説明したが、ヘッドフォン２００側の容積などが問題とならないのであれば、音声データ生成部１３０の一部の構成をヘッドフォン２００側に設けるようにしても構わない。
【００５３】
また、本実施形態においては、発光部１２３からの可視光通信をヘッドフォン２００が受信し、これに基づいて位置データや前方データを検出する構成を例に説明したが、ヘッドフォン２００に方位検出センサを搭載し、前方データ取得部はこの方位検出センサによって前方データを取得するような構成とすることもできる。
【００５４】
また、ヘッドフォン２００にジャイロを搭載し、ヘッドフォン２００の傾きを検出するような仕組みを採用すれば、より高度な情報に基づいて音像定位技術で左右の音声データを生成することができるので、より臨場感溢れる音声案内サービスを提供することができる。
【００５５】
また、本発明の音声案内サービスシステムの仕組みによれば、ヘッドフォンＩＤ毎に応じて、例えば異なる言語の音源データを用意することもできるので、多言語対応の音声案内サービスを構築することも可能となる。
【図面の簡単な説明】
【００５６】
【図１】本発明の実施の形態に係る音声案内サービスシステムのブロック構成の概要を示す図である。
【図２】本発明の実施の形態に係る音声案内サービスシステムの設置例を示す図である。
【図３】本発明の実施の形態に係る音声案内サービスシステムで用いるヘッドフォンの外観斜視図である。
【図４】本発明の実施の形態に係る音声案内サービスシステムのメインシステム側送信部を可視光通信技術によって構成する例を示すブロック図である。
【図５】本発明の実施の形態に係る音声案内サービスシステムのメインシステム側送信部１２０から送信するデータの構成例を示す図である。
【図６】本発明の実施の形態に係る音声案内サービスシステムにおける発光部ＩＤ付与例を示す図である。
【図７】本発明の実施の形態に係る音声案内サービスシステムにおけるヘッドフォンＩＤ付与例を示す図である。
【図８】本発明の実施の形態に係る音声案内サービスシステムのメインシステム側送信部１２０からのデータ送信例を示す図である。
【符号の説明】
【００５７】
１００・・・メインシステム、１１０・・・メインシステム側受信部、１２０・・・メインシステム側送信部、１２１・・・送信制御部、１２２・・・変調部、１２３・・・発光部、１３０・・・音声データ生成部、１３１・・・ヘッドフォン情報記憶部、１３２・・・音源データ記憶部、１３３・・・音像定位データ生成部、１３４・・・ビーコンデータ生成部、１３５・・・送信データ合成部、２００・・・ヘッドフォン、２１０・・・ヘッドフォン側受信部、２１１・・・前方側受光部、２１２・・・後方側受光部、２１３・・・右側受光部、２１４・・・左側受光部、２２０・・・ヘッドフォン側送信部、２２１・・・送信アンテナ部、２３０・・・位置データ取得部、２３１・・・前方データ取得部、２３２・・・ヘッドフォンＩＤ記憶部、２３３・・・音声制御部、２３４・・・左スピーカー、２３５・・・右スピーカー、２４０・・・受信データ分離部、２５０・・・送信データ合成部
【図１】
2009177265.tif 000003
【図２】
2009177265.tif 000004
【図３】
2009177265.tif 000005
【図４】
2009177265.tif 000006
【図５】
2009177265.tif 000007
【図６】
2009177265.tif 000008
【図７】
2009177265.tif 000009
【図８】
2009177265.tif 000010